(57)【要約】【課題】トナーの加熱定着時に発生する臭気を外部に漏らすことなく脱臭できる定着装置を有する画像形成装置を提供する。【解決手段】定着すべき紙を、所定の温度に加熱した筒状のヒートローラとプレッシャローラで挟んで定着する定着装置において、前記紙を挟む領域を箱状の循環通路で囲み、紙から発生する臭気ガスをヒートローラの筒状の内部へ導入する。ヒートローラ内部には活性化温度に加熱された加熱型触媒を設けているので、臭気ガスは加熱型触媒に触れて燃焼し脱臭される。臭気ガスはヒートローラと循環通路を循環するので、画像形成装置の外部へ漏れ出ることはない。【選択図】図１
2006251502.tif 000002
【特許請求の範囲】
【請求項１】
感光ドラムに電子潜像を形成する光学ユニット、
前記電子潜像を現像してトナー像を形成し、前記トナー像を画像担体に転写する現像部、
前記トナー像が転写された画像担体に前記トナー像を定着する定着装置を有し、
前記定着装置は、
定着させるトナーを加熱する加熱部、及び
加熱により発生する臭気成分を含むガスを接触させて臭気成分を分解する加熱型触媒
を有することを特徴とする画像形成装置。
【請求項２】
前記加熱型触媒を前記加熱部により加熱することを特徴とする請求項１に記載の画像形成装置。
【請求項３】
前記加熱部を、前記定着装置に設けられた、前記トナーを加熱する筒状のヒートローラ内に配設したことを特徴とする請求項２に記載の画像形成装置。
【請求項４】
前記加熱部は、発熱体を有し、前記加熱部の表面に加熱型触媒を設けたことを特徴とする請求項１から３のいずれかに記載の画像形成装置。
【請求項５】
前記加熱部を有するヒートローラの内壁面に加熱型触媒を配設し、臭気成分を含むガスを前記ヒートローラ内に導入する手段を有することを特徴とする請求項３に記載の画像形成装置。
【請求項６】
前記加熱部は、発熱体と発熱体を収納する絶縁体を有する請求項１から４のいずれかに記載の画像形成装置。
【請求項７】
前記絶縁体は、石英、ガラス、セラミックス、コージライト、ムライト、アルミナ、ジルコニア、マグネシア、及びカルシア、シリカのグループから選択した少なくとも１つを含むことを特徴とする請求項６に記載の画像形成装置。
【請求項８】
前記発熱体はニクロム線、カンタル線、タングステン線、モリブデン線及び炭素系発熱体のグループから選択した少なくとも１つを有することを特徴とする請求項４又は６に記載の画像形成装置。
【請求項９】
前記炭素系発熱体の形状は、板状、棒状、繊維状及びフェルト状の中から選択した少なくとも１つを含むことを特徴とする請求項８に記載の画像形成装置。
【請求項１０】
前記加熱部に含まれる発熱体の近傍に、一定の空間を設けて、表面に加熱型触媒を有する筒状体又は面状体のいずれか一方を配設したことを特徴とする請求項４から９のいずれかに記載の画像形成装置。
【請求項１１】
前記加熱型触媒を有する筒状体或いは面状体は、多数の連通孔を有する蜂の巣形状、蛇腹形状、ハニカム形状、格子形状、メッシュ形状、ラス形状から選択した少なくとも１つの形状に形成されていることを特徴とした請求項１０に記載の画像形成装置。
【請求項１２】
前記加熱型触媒を有する筒状体及び面状体は、セラミックハニカム体、発泡セラミック体、耐熱繊維編組体、耐熱繊維不織布、耐熱繊維及び金属多孔体のグループから選択した少なくとも１つの構成を有することを特徴とする請求項１０又は１１に記載の画像形成装置。
【請求項１３】
前記加熱型触媒を担持させる担体として、高比表面積のアルミナ粉体の部分焼結及び水酸化アルミニウムの脱水反応のいずれかにより形成された高比表面積多孔質被覆層を備えることを特徴とする請求項１、２、４、５、１０、１１及び１２のいずれかに記載の画像形成装置。
【請求項１４】
前記アルミナ粉体は、重量比０．２ｗｔ％から９ｗｔ％の含有量のバリウムを含み、９５０℃以上の温度で焼成処理をしたことを特徴とする請求項１３に記載の画像形成装置。
【請求項１５】
前記加熱型触媒は、Ｐｔ、Ｐｄ、Ｒｈなどの貴金属類と、Ｒｕ、Ｃｕ、Ｃｅ、Ｍｎ、Ｆｅ、Ｎｉ、Ｓｎ、Ｚｎ、Ａｌ、Ｚｒ、Ｗ、Ｖなどの遷移金属で構成されたグループの中から選択された少なくとも１つの金属を含むことを特徴とする請求項１、２、４、５、１０、１１及び１２のいずれかに記載の画像形成装置。
【請求項１６】
前記定着装置は、前記臭気成分を含むガスが画像形成装置の外部へ拡散しないように、トナーを加熱するヒートローラを含む領域を囲む循環通路を設け、循環通路と筒状のヒートローラの内部とを連通する少なくとも１つの空気流通路を備えたことを特徴とする請求項１から１２のいずれかに記載の画像形成装置。
【請求項１７】
前記定着装置は、前記臭気成分を含むガスが画像形成装置の外部へ拡散しないように、前記循環通路とヒートローラの内部に臭気成分を含むガスを循環させる少なくとも１つのファンを備えたことを特徴とする請求項１６に記載の画像形成装置。
【発明の詳細な説明】
【技術分野】
【０００１】
本発明は、トナーを用いる画像形成装置に関するものであり、特にトナーを定着する加熱定着装置に関するものである。
【背景技術】
【０００２】
静電気によるトナーの付着によって文字や画像を生成する電子写真は従来からコピー機やプリンターなどの画像形成装置に広く利用されている。電子写真では、通常印刷用紙の表面に形成した文字や画像のトナーを加熱することによって紙面に定着させている。印刷用紙上のトナーを加熱して定着させる方式の定着装置を有する画像形成装置では、トナー定着時にトナーが加熱されて潰されるために臭気が発生する。この臭気は印刷用紙またはトナーの構成成分に大きく影響される。トナーから発生した臭気は、画像形成装置の内部に設けた脱臭フィルターなどで脱臭して、排気ファン等により装置の外部へ排出していた（例えば特許文献１を参照）。
脱臭に関する他の従来技術としては、脱臭機能及び芳香発生機能を有する部材を排気口に設け、排気口から出る臭気を減らすとともに芳香を加えて外部へ排出しているものもある（例えば、特許文献２を参照）。
【特許文献１】特開平７−２０７５２号公報
【特許文献２】特開平２−２３０２６１号公報
【発明の開示】
【発明が解決しようとする課題】
【０００３】
前記第１の従来技術の脱臭方法では脱臭フィルタに寿命があるため定期的に交換する必要がある。また脱臭フィルタの吸着能力以上の臭気が排出された場合、外部に臭気が漏れるという問題を有していた。
前記第２の従来技術の脱臭方法では、臭気を含む空気が排気口を通過する時に脱臭する構成であるため、完全な脱臭ができず臭気が外部へ出るのを避けられない。
【０００４】
本発明は、定着装置から発生する臭気が画像形成装置内で脱臭処理され、外部へ漏れる事のない画像形成装置を提供することを目的とする。
【課題を解決するための手段】
【０００５】
請求項１の発明の画像形成装置は、定着させるトナーを加熱する加熱部、及び加熱により発生する臭気成分を含むガスを接触させて臭気成分を分解する加熱型触媒を有することを特徴とする。
この発明によれば、加熱部により加熱されたトナーから発生する臭気成分を含むガスは、加熱型触媒に接触することにより脱臭される。
請求項２の発明の画像形成装置は、前記加熱型触媒を前記加熱部により加熱することを特徴とする。この発明では、加熱型触媒をトナーを加熱する加熱部で加熱するので、別個の加熱手段を必要としない。
請求項３の発明の画像形成装置は、前記加熱部を、前記定着装置に設けられた前記トナーを加熱するヒートローラ内に配設したことを特徴とする。この発明では、加熱部をヒートローラ内に配設したので、ヒートローラを内部から加熱できる。加熱部が露出しないので安全である。
請求項４の発明の画像形成装置は、前記加熱部が、発熱体を有し、前記加熱部の表面に加熱型触媒を設けたことを特徴とする。この発明では、加熱部の表面に加熱型触媒を設けたので、加熱型触媒の温度上昇が速い。
【０００６】
請求項５の発明の画像形成装置は、前記加熱部を有するヒートローラの内壁面に加熱型触媒を配設し、臭気成分を含むガスを前記ヒートローラ内に導入する手段を有することを特徴とする。この発明によれば、ヒートローラ内に導入された臭気成分を含むガスは加熱型触媒に接触して脱臭される。
請求項６の発明の画像形成装置は、前記加熱部が、発熱体と発熱体を収納する絶縁体を有する。発熱体が絶縁体内に収納されているので損傷をうけにくい。
請求項７の発明の画像形成装置は、前記絶縁体が、石英、ガラス、セラミックス、コージライト、ムライト、アルミナ、ジルコニア、マグネシア、及びカルシア、シリカのグループから選択した少なくとも１つを含むことを特徴とする。
請求項８の発明の画像形成装置は、前記発熱体がニクロム線、カンタル線、タングステン線、モリブデン線及び炭素系発熱体のグループから選択した少なくとも１つを有することを特徴とする。
【０００７】
請求項９の発明の画像形成装置は、前記炭素系発熱体の形状が、板状、棒状、繊維状及びフェルト状の中から選択した少なくとも１つを含むことを特徴とする。炭素系発熱体は、種々の形状に構成できるので、所望の特性を有する発熱体を作りやすい。
請求項１０の発明の画像形成装置は、前記加熱部に含まれる発熱体の近傍に、一定の空間を設けて、表面に加熱型触媒を有する筒状体又は面状体のいずれか一方を配設したことを特徴とする。この発明によれば、発熱体と加熱型触媒との間に一定の空間を設けることにより、加熱型触媒の温度を、発熱体より低い所望の温度に調節しやすい。
請求項１１の発明の画像形成装置は、前記加熱型触媒を有する筒状体或いは面状体が、多数の連通孔を有する蜂の巣形状、蛇腹形状、ハニカム形状、格子形状、メッシュ形状、ラス形状から選択した少なくとも１つの形状に形成されていることを特徴とする。この発明によれば、加熱型触媒の表面積が大きいので、脱臭効果が高い。
【０００８】
請求項１２の発明の画像形成装置は、前記加熱型触媒を有する筒状体及び面状体が、セラミックハニカム体、発泡セラミック体、耐熱繊維編組体、耐熱繊維不織布、耐熱繊維及び金属多孔体のグループから選択した少なくとも１つの構成を有することを特徴とする。この発明によれば、加熱型触媒の表面積が大きいので脱臭効果が高い。
請求項１３の発明の画像形成装置は、前記加熱型触媒を担持させる担体として、高比表面積のアルミナ粉体の部分焼結及び水酸化アルミニウムの脱水反応のいずれかにより形成された高比表面積多孔質被覆層を備えることを特徴とする。この発明によれば、加熱型触媒が多孔質の担体に担持されるので、表面積が大きく脱臭効果が高い。
請求項１４の発明の画像形成装置は、前記アルミナ粉体が、重量比０．２ｗｔ％から９ｗｔ％の含有量のバリウムを含み、９５０℃以上の温度で焼成処理をしたことを特徴とする。
【０００９】
請求項１５の発明の画像形成装置は、前記加熱型触媒が、Ｐｔ、Ｐｄ、Ｒｈなどの貴金属類と、Ｒｕ、Ｃｕ、Ｃｅ、Ｍｎ、Ｆｅ、Ｎｉ、Ｓｎ、Ｚｎ、Ａｌ、Ｚｒ、Ｗ、Ｖなどの遷移金属で構成されたグループの中から選択された少なくとも１つの金属を含むことを特徴とする。
請求項１６の発明の画像形成装置は、前記臭気成分ガスが装置外部へ拡散しないよう臭気成分ガスを循環させる少なくとも１つの空気流通路を備えたことを特徴とする。この発明によれば、臭気成分ガスが外部へ拡散しないので空気汚染を防止できる。
請求項１７の発明の画像形成装置は、前記臭気成分ガスが装置外部へ拡散しないように、臭気成分ガスを循環させる少なくとも１つのファンを備えたことを特徴とする。ファンにより、臭気成分ガスの循環量が多くなり、その分脱臭効果が高くなる。
【発明の効果】
【００１０】
本発明の定着装置を有する画像形成装置によれば、トナー定着時に発生する臭気を、前記定着装置内のローラに設けた加熱型触媒を用いて燃焼させるので、発生した臭気のほとんどすべてを消滅させることができる。脱臭フィルタ等の消耗品を用いないので保守が簡単であり、コストもかからず、健康衛生並びに大気汚染に対する悪影響を解消することができる。
【発明を実施するための最良の形態】
【００１１】
以下に、本発明の定着装置を有する画像形成装置の好適な実施の形態を図１から図７を参照して詳細に説明する。
《実施の形態１》
【００１２】
本発明の実施の形態１の定着装置を有する画像形成装置について図１及び図２を用いて説明する。図１は、本実施の形態１の定着装置３０の斜視図である。図２は、図１の定着装置３０に設けられている発熱部１の斜視図である。図７は、本発明の各実施例の形態の定着装置を組み込むための画像形成装置の一例である、複写装置の断面図である。
【００１３】
図７に示す本発明の画像形成装置は、電子写真方式により紙等の画像担体にトナー像を形成する複写装置であり、以下にその主要な構成を説明する。画像形成装置の筐体４０の上面には透明なガラス板４１を有する窓が設けられており、ガラス板４１上に複写すべき原稿を、複写面を下向きにして置く。ガラス板４１の下方には、原稿照明用の光源を有する光学ユニット４２が設けられており。移動装置により駆動されて原稿の複写面を走査する。光学ユニット４２の下方には像形成ユニット４３が設けられている。像形成ユニット４３内には回転する感光ドラム４６、感光ドラム４６を帯電させる帯電器４４、感光ドラム４６の帯電を除く徐電器４５及び転写用帯電器４７が設けられている。像形成ユニット４３の右端には、トナー供給装置を有する現像器４９が設けられており、左端には感光ドラム４６のクリーニングをするクリーニング部５０が設けられている。
【００１４】
筐体４０の右端には、画像担体である複数の複写用紙６２が装填された用紙トレー５１が設けられ、さらに用紙トレー５７から用紙６２を感光ドラム４６と転写帯電器４７の間に送る用紙移送ユニット５２が設けられている。筐体４０の下方には用紙ガイド５４が設けられている。
筐体４０の左下部には、定着装置５５が設けられている。定着装置５５の左方には、用紙送りローラ５７が用紙排出孔５９に対向して設けられている。用紙排出孔５９の下方には、用紙受６０が設けられている。
【００１５】
上記の構成の画像形成装置を用いて複写をするときの動作を以下に説明する。ガラス板４１の上に原稿を置いて複写装置を起動すると、光学ユニット４２は複写面を走査してその画像を感光ドラム４６の表面に電子潜像として形成する。電子潜像は、現像器４９から現像ローラ４８を経て供給されるトナーによって現像され、感光ドラム４６上にトナー像が形成される。感光ドラム４６のトナー像は、用紙トレー５１から用紙移送ユニット５２によって送られてくる用紙面に転写される。トナー像が転写された用紙は用紙ガイド５４を経て定着装置５５に移送される。定着装置５５は本発明の各実施の形態の定着装置３０、３２又は３６である。定着装置５５においてトナー像を有する用紙は加熱され、トナー像は用紙面に定着する。トナー像が定着した用紙６４は、定着装置５５及び用紙送りローラ５７により駆動されて排出孔５９から排出され用紙受６０の上に載る。
【００１６】
次に本発明の実施の形態１の定着装置３０を図１及び図２を参照して説明する。
図１に示す定着装置３０は、内部に棒状の発熱部１を有し、一定方向に回転する管状のヒートローラ５と、ヒートローラ５に対向して配置され前記ヒートローラ５の回転方向と逆の方向に回転するプレッシャーローラ６を有する。ヒートローラ５とプレッシャーローラ６の間に、定着すべきトナーを担持する印刷用紙１１が挟まれて搬送される。ヒートローラ５とプレッシャーローラ６の対向部近傍の領域を覆うように、箱状の循環通路７が設けられている。前記印刷用紙１１は、循環通路７の、図１では見えない側面に設けた狭い開口７ａから定着装置３０に入り、ヒートローラ５とプレッシャーローラ６の間を通って、図の手前の側面に設けられた狭い開口７ｂから出る。
【００１７】
ヒートローラ５の両端部には、それぞれ循環吸入パイプ８と循環排出パイプ９が取り付けられている。循環吸入パイプ８の一端はヒートローラ５の中空の空間である燃焼空間５ｂに連通している。
循環吸入パイプ８の他端は循環ファン１０を経て循環通路７の内部空間に連通している。循環排出パイプ９は、ヒートローラ５の燃焼空間５ｂと循環通路７とを連通している。循環吸入パイプ８及び循環排出パイプ９は、発熱部１を支持するとともに、ヒートローラ５を回転可能に支持する軸としての機能を有している。ヒートローラ５は、歯車２０にかみ合う図示を省略した回転伝達歯車により駆動され矢印５ａの方向に回転する。
【００１８】
図２において、発熱部１は、石英管等の管状の絶縁体３の中に、タングステン線等をコイル状に巻いた発熱体２を収納した構成を有する。絶縁体３の両端は熱封止されており、内部には不活性ガスが封入されている。発熱部１の発熱体２に通電すると、ヒートローラ５の外壁表面温度は短時間で約１９０℃に達し、以後は図示を省略した温度制御手段によりこの温度を保つように制御される。
【００１９】
絶縁管３の外周は加熱型触媒４により被覆されている。加熱型触媒４は、比表面積の大きなアルミナ粉粒体を焼成した焼結体に、Ｐｔ、Ｐｄ、Ｒｈ等の貴金属、及びＲｕ、Ｃｕ、Ｃｅ、Ｍｎ、Ｆｅ、Ｎｉ、Ｓｎ、Ｚｎ、Ａｌ、Ｚｒ、Ｗ、Ｖなどの遷移金属の内の少なくとも一種の金属を担持させたものである。加熱型触媒の他の例としては、水酸化アルミニウムの脱水反応により形成した比表面積の大きな多孔質被覆体に、Ｐｔ、Ｐｄ、Ｒｈなどの貴金属、及びＲｕ、Ｃｕ、Ｃｅ、Ｍｎ、Ｆｅ、Ｎｉ、Ｓｎ、Ｚｎ、Ａｌ、Ｚｒ、Ｗ、Ｖなどの遷移金属の内の少なくとも一種の金属を担持させたものを用いてもよい。加熱型触媒は、公害防止のための空気浄化等の分野では周知のものであるが、本実施の形態では、この加熱型触媒を画像形成装置の定着装置に用いた点に特徴がある。
【００２０】
次に本実施の形態の定着装置３０で印刷用紙１１の定着をするときの動作を説明する。図１において、ヒートローラ５は、歯車２０に噛み合う図示を省略した駆動歯車に駆動され、矢印５ａ方向に回転する。またプレッシャーローラ６は図示を省略した駆動手段により矢印６ａの方向に回転する。
【００２１】
ヒートローラ５は発熱体２への通電により、加熱され、その表面温度は約１９０℃になされる。この状態で発熱部１の絶縁体３の温度は約４５０℃になり、外周に設けた加熱型触媒４の温度は、加熱型触媒４の活性温度である約３００℃以上になる。
循環通路７の開口７ａから矢印２１の方向にトナーを担持した印刷用紙１１が挿入される。挿入された印刷用紙１１はヒートローラ５とプレッシャーローラ６の間に挟まれて矢印２１の方向に搬送されつつ加熱され、表面のトナーは印刷用紙１１に定着される。トナーの定着時にトナーが潰されて出る臭気を含む臭気ガスは矢印１２に示すように、循環ファン１０によって循環吸入パイプ８を経てヒートローラ５の管状の燃焼空間５ｂに導入される。燃焼空間５ｂに導入された矢印１２ａで示す臭気ガスはヒートローラ５の燃焼空間５ｂ内で加熱型触媒４に接触する。加熱型触媒４に接触した臭気ガスはその触媒作用により燃焼し脱臭される。未燃焼の臭気ガスは循環排出パイプ９を経て循環通路７に入り、新たに発生した臭気ガスと混合されて再び循環吸入パイプ８を通って燃焼空間５ｂに入る。このようにして臭気ガスは、循環通路７、循環吸入パイプ８、燃焼空間５ｂ、循環排出パイプ９で構成されるほぼ密閉された空間を循環する過程で、燃焼空間５ｂで加熱型触媒４に接して燃焼し脱臭される。従ってトナーの定着時に発生する臭気ガスが外部へ漏れることはない。
【００２２】
発熱体１で加熱される加熱型触媒４の温度は、使用状態によっては、活性温度をはるかに超えることが想定される。その場合前記触媒担体を高比表面積アルミナ粉粒体の部分焼結或いは水酸化アルミニウムの脱水反応により形成したアルミナを主成分として含む場合は、高温でシンタリングが生じ比表面積が減少することがある。そこでこのシンタリングを防止し、製造時は比表面積を維持して安定した触媒脱臭作用を保つように、アルミナの重量に対しバリウムを０．２ｗｔ％から９ｗｔ％の範囲で混合し、９５０℃以上で焼成処理を行うのが望ましい。これにより加熱型触媒４の劣化を防ぐことができる。
発熱部１の発熱体２としては、ニクロム線、カンタル線、タングステン線、モリブデン線などの金属線をコイル状に巻いたものが用いられる。また、板状、棒状、繊維状、フェルト状などの炭素系発熱体を用いてもよい。発熱体２は被加熱物であるヒートローラ５を加熱しその外壁表面温度を約１９０℃まで昇温させることができるものであればどのような発熱体を用いてもよい。
【００２３】
絶縁体３としては、石英、ガラス、セラミックス、コージライト、ムライト、アルミナ、ジルコニア、マグネシア、カルシア、シリカなどから、発熱体２の特性に合わせて選択する。
《実施の形態２》
【００２４】
本発明の実施の形態２の定着装置を図３から図５を参照して説明する。図３は実施の形態２の定着装置３２に用いる、発熱部１と面状触媒促進体１４の斜視図である。図４は、図３に示す発熱部１と面状触媒促進体１４を組込んだ実施の形態２の定着装置３２の斜視図である。図５は本実施の形態における他の例の筒状触媒発熱体１６を有する発熱部１の斜視図である。
【００２５】
図３において、発熱部１は、図２に示す前記実施の形態１の発熱部１と同じ構成を有しているが、本実施の形態における発熱部１には加熱型触媒４は設けられていない。本実施の形態では、発熱部１に沿って、格子状の面状触媒促進体１４が設けられている。面状触媒促進体１４は、アルミニウム板を格子状に組合わせたハニカム構造の面状担体１３（図３の右側部分に示す）を、図３の左側部分に示すように加熱型触媒４ａで被覆することによって構成されている。図３に示す面状触媒促進体１４は発熱部１を囲むＬ字型に形成されている。ハニカム構造の面状担体１３は、図３の右側部分も含めてすべての面が加熱型触媒４ａで被覆されている。加熱型触媒４ａの組成は、前記実施の形態１における加熱型触媒４と同じである。
【００２６】
図４は、図３に示す発熱部１及び面状触媒促進体１４を組込んだ定着装置３２の斜視図である。図４において、面状触媒促進体１４以外の各要素はすべて図１に示すものと同じであるので、同じ符号を付して重複する説明は省略する。図４に示すようにヒートローラ５の内部の燃焼空間５ｂに設けた面状触媒促進体１４は発熱部１によって加熱型触媒の活性温度３００℃を超える温度に加熱される。
【００２７】
本実施の形態２の定着装置の動作は基本的に前記実施の形態１の定着装置と同じである。
本実施の形態２の定着装置３２の面状触媒促進体１４は、図３に示すようにハニカム構造の面状担体１３を加熱型触媒４ａで被覆しているので、加熱型触媒４の表面積が極めて大きい。そのため燃焼空間５ｂを通る臭気ガスの、面状触媒促進体１４に接触するものの割合が、前記実施の形態１の加熱型触媒４に比較するとはるかに高い。そのため、臭気ガスの燃焼が促進されて脱臭効果が高くなる。
【００２８】
図５は、実施の形態２の定着装置３２に用いる他の例の触媒である、筒状触媒促進体１６の構成を示す斜視図である。筒状触媒促進体１６では、図の右側約３分の１の部分に示す円筒状の担体１５を、図の左側約３分の２の部分に示すように、加熱型触媒４で被覆している。筒状触媒促進体１６の中央部の空間に発熱部１を配置している。筒状触媒促進体１６は、図３に示す面状触媒促進体１４と同様にハニカム構造を有しており、かつ発熱体１の周囲を囲むように設けているので、その表面積は前記の面上触媒促進体１４よりも更に大きい。そのため、燃焼空間５ｂにおける臭気ガスの燃焼が更に促進され、結果として脱臭効果も高くなる。
【００２９】
実施の形態２における面状担体１３及び筒状１５の形状は、多数の連通孔を有する、蜂の巣形状（ハニカム形状）、格子形状、網目形状（メッシュ状）、あるいは凹凸の多い蛇腹形状等の表面積の多い形状が望ましく、これらの形状の複数のものを組合わせたものでもよい。面状担体１３及び筒状担体１５の材質としては、セラミック、発泡セラミックが望ましく、耐熱繊維の編組体、不織布なども使用可能である。ステンレススチール、鉄などの各種金属も面状担体１３及び筒状担体１５の材料として使用できる。面条担体１３及び筒条担体１５を腐食しやすい材料で構成する場合は、ガラス質層やセラミック層などで被覆するのが望ましい。
《実施の形態３》
【００３０】
本発明の実施の形態３の定着装置を図６を参照して説明する。図６は実施の形態３の定着装置３６の斜視図である。実施の形態３の定着装置３６では、加熱型触媒１８が前記実施の形態１及び２の加熱型触媒と異なる。すなわち、実施の形態１の定着装置３０では発熱部１外周に設けられていた加熱型触媒４が、本実施の形態３の定着装置３６では、ヒートローラ５の全円周面に加熱型触媒層１８として設けられている。本実施の形態３の定着装置の加熱型触媒層１８を除く他の構成は、図１に示す前記の実施の形態１の定着装置３０と同じであるので重複する説明は省略する。
【００３１】
定着装置３６では、ヒートローラ５の内壁面の加熱型触媒１８がその活性温度の約３００℃になるように、発熱部１でヒートローラ５を加熱する。そのためヒートローラ５の外周面の温度は、定着に適した約１９０℃より高くなる。そこで、ヒートローラ５の外周面の温度が、定着に適した１９０℃程度になるように、温度を低下させる必要がある。温度を低下させるために、本実施の形態３２ではヒートローラ５の外表面をシリコンの被膜３５で被覆している。被膜３５の厚みは約１．０ｎｍである、被膜３５の材料はシリコンに限られるものではなく、高耐熱性を有し熱伝導が比較的低いものであれば他の材料でもよい。
【００３２】
本実施の形態３の定着装置では、加熱型触媒１８をヒートローラ５の全内周面に設けているので、その表面積は前記実施の形態１及び２の加熱型触媒４、１４及び１６に比べて広い。そのため加熱型触媒１８による脱臭効果は加熱型触媒４、１４、１６に比べて高くなる。さらに、実施の形態１及び２の加熱型触媒４、１４、１６を実施の形態３のヒートローラ５の中に組込むこともできる。すなわち、図２に示すように、発熱部１に加熱型触媒４を設け、かつ図４に示すようにヒートローラ５内に加熱型触媒１４又は１６を設ける。そして図６に示すようにヒートローラ５の内周面に加熱型触媒１８を設ける。このように構成すると加熱型触媒４、１４（又は１６）、１８により触媒の表面積が大幅に増加し、その脱臭作用も大幅に増加する。その結果極めて高い脱臭効果を有する定着装置を得ることができる。
本発明の実施の形態では画像形成装置として複写装置を挙げたが、本発明は複写装置に限定されるものではなく、レーザープリンタなどトナーを用いて画像を形成する種々の画像形成装置の定着装置に適用可能である。また、上記の実施の形態１から３では、トナーを用いる画像形成装置について説明したが、トナーの代わりにインクやその他の加熱により定着する画像形成材料を用いる画像形成装置にも本発明を適用できる。
【産業上の利用可能性】
【００３３】
本発明は、画像形成装置の定着装置に利用可能である。
【図面の簡単な説明】
【００３４】
【図１】本発明の実施の形態１の定着装置の斜視図
【図２】本発明の実施の形態１の定着装置における発熱体斜視図
【図３】本発明の実施の形態２の定着装置における面状触媒促進対の斜視図
【図４】本発明の実施の形態２における定着装置の斜視図
【図５】本発明の実施の形態２における筒状触媒促進体の斜視図
【図６】本発明の実施の形態３の定着装置の斜視図
【図７】本発明の画像形成装置の断面図
【符号の説明】
【００３５】
１  発熱部
２  発熱体
３  絶縁体
４、４ａ  加熱型触媒
５  ヒートローラ
６  プレッシャーローラ
７  循環通路
７ａ  用紙進入口
７ｂ  用紙排出口
８  循環吸入パイプ
９  循環排出パイプ
１０  循環ファン
１１  用紙
１２  臭気を示す矢印
１３  面状担体
１４  面状触媒促進体
１５  筒状担体
１６  筒状触媒促進体
２０  歯車
３０、３２、３６  定着装置
３５  被膜
４０  筐体
４１  ガラス板
４２  光学ユニット
４３  像形成ユニット
４４  帯電器
４５  徐電器
４６  感光ドラム
４９  現像器
５５  定着装置
５７  用紙送りローラ
【図１】
2006251502.tif 000003
【図２】
2006251502.tif 000004
【図３】
2006251502.tif 000005
【図４】
2006251502.tif 000006
【図５】
2006251502.tif 000007
【図６】
2006251502.tif 000008
【図７】
2006251502.tif 000009